(57)【要約】【課題】本体に流量調節計を組み込むことにより小型化を図った渦流量計を提供する。【解決手段】本体と、該本体内に形成された流路と、該流路内に配置された渦発生体と渦検出器とを備え、前記流路の通水量に比例して、前記渦検出器による出力から流量を測定する渦流量計において、前記本体に流量調節手段を一体として組込んだことを特徴とする。【選択図】      図１
2008197040.tif 000002
【特許請求の範囲】
【請求項１】
本体と、該本体内に形成された流路と、該流路内に配置された渦発生体と渦検出器とを備え、前記流路の通水量に比例して、前記渦検出器による出力から流量を測定する渦流量計において、前記本体に流量調節手段を一体として組込んだことを特徴とする渦流量計。
【請求項２】
前記流量調節手段を構成する弁はゲート弁であって、渦検出器を構成する渦検出体の後段に配置され、前記ゲート弁のゲートは前記本体の外周から流路内に挿入して配置された渦検出体に対して逆方向から流路内に入出するように構成したことを特徴とする請求項１に記載の渦流量計。
【請求項３】
前記流量調節手段を構成する弁はボール弁であって、渦検出器を構成する渦検出体の後段に配置され、前記本体の外周から流路内に挿入して配置された渦検出体の長手方向に対してボール弁の穴が上下方向に回転する向きに配設したことを特徴とする請求項１に記載の渦流量計。
【発明の詳細な説明】
【技術分野】
【０００１】
本発明は、管内を通過する流体の流量を測定するための渦流量計に関し、流量調節手段を一体として組み込むことにより小型化を図った渦流量計に関するものである。
【背景技術】
【０００２】
従来、一様な速さで流れる流体中でカルマン渦を発生させ、このカルマン渦の周波数を検出することによって流体の流速を測定する渦流量計が知られている。この渦流量計は、流量に応じて比例信号を出力するもので、液晶、半導体洗浄装置、スーパーコンピュータ冷却装置、純水製造装置などに使用されるほか、浴槽への積算流量、電気温水器の残湯量検出用センサ等各種流体流量の制御、監視などに広く用いられている。
【０００３】
図６は、その一例を示す渦流量計の要部断面構成図である。この渦流量計１は、本体２、渦発生体３、渦検出体４等で構成されている。本体２には、内部を貫通する断面円形の流路５が形成され、この流路５を流体がＸ方向に流れる。
【０００４】
渦検出体４は、本体２の外側から流路５内に挿入されて片持ち梁状に一端が固定され、先端部は自由端となっており、絶縁性を有する弾性鞘体と圧電素子（図示省略）とで構成されている。検出信号は渦流量計回路６で所定の信号に変換され、リード線７によって制御部８に伝送される。制御部８からの信号は出力部９を介して出力される。
【０００５】
１０はモータ１１および弁機構１２を有し、渦検出体４の後段に取付けられた流量調節弁であり、渦流量計の制御部８からの信号に基づいてモータ位置情報伝達手段１３を介して流量を調節する。
【０００６】
なお、渦流量計に関する先行技術としては下記の特許文献が知られている。
【特許文献１】特開２００４−０６９５００号公報
【特許文献２】特開２００４−１０９０３０号公報
【特許文献３】特開２００５−０９８７２１号公報
【発明の開示】
【発明が解決しようとする課題】
【０００７】
ところで、前記の従来の流量計は、本体２と流量調節計１０が別体として製作され、ねじ込んだ状態で取り付けることが行われていた。
しかしながら、上述の構成では本体と流量調節計を含めて小型化をはかるには限度があるという問題があった。
【０００８】
本発明は、従来技術の問題点を解決するためになされたもので、本体に流量調節計を組み込むことにより小型化を図った渦流量計を提供することを目的としている。
【課題を解決するための手段】
【０００９】
このような課題を達成するための本発明の渦流量計の構成は、請求項１においては、
本体と、該本体内に形成された流路と、該流路内に配置された渦発生体と渦検出器とを備え、前記流路の通水量に比例して、前記渦検出器による出力から流量を測定する渦流量計において、前記本体に流量調節手段を一体として組込んだことを特徴とする。
【００１０】
請求項２においては、請求項１に記載の渦流量計において、
前記流量調節手段を構成する弁はゲート弁であって、渦検出器を構成する渦検出体の後段に配置され、前記ゲート弁のゲートは前記本体の外周から流路内に挿入して配置された渦検出体に対して逆方向から流路内に入出するように構成したことを特徴とする。
【００１１】
請求項３においては、請求項１に記載の渦流量計において、
前記流量調節手段を構成する弁はボール弁であって、渦検出器を構成する渦検出体の後段に配置され、前記本体の外周から流路内に挿入して配置された渦検出体の長手方向に対してボール弁の穴が上下方向に回転する向きに配設したことを特徴とする。
【発明の効果】
【００１２】
以上説明したことから明らかなように本発明の請求項１によれば、次のような効果がある。
請求項１においては、渦検出器による出力から流量を測定する渦流量計において、本体に流量調節手段を一体として組込んでいるので、渦流量計と流量調節弁を含めた全体としての長さを短くすることができ、小型化を図ることができる。
【００１３】
請求項２においては、ゲート弁のゲートを本体の外周から流路内に挿入して配置された渦検出体に対して逆方向から流路内に入出するように構成したので、弁機構近傍に発生する渦が渦流量計の渦検出体に検出されることがなく正確な流量の検出が可能となる。
【００１４】
請求項３においては、ボール弁の穴を渦検出体の長手方向に対して上下方向に回転する向きに配設したので、ボール弁の近傍に発生する渦が渦流量計の渦検出体に検出されることがなく正確な流量の検出が可能となる。
【発明を実施するための最良の形態】
【００１５】
図１は本発明の一実施例を示す渦流量計の要部断面構成図である。
図１において、図６の従来例と同一要素には同一符号を付している。
本実施例においては流量調節弁１０が渦流量計の本体２に直接取付けられ、弁機構１２が本体２に形成された孔１４から挿入されている。
【００１６】
この実施例においては流量調節弁１０としてゲート弁が用いられ、弁機構１２は管路に対して渦検出体４の固定側から矢印Ｙで示す方向に上下に移動する。そして弁機構１２の下方に形成された溝１５に達したときに流量がゼロになる。
【００１７】
図２はこのような構成の渦流量計１の渦検出体４と弁機構１２の取付け位置に着目し、他の部分は省略した図を示している。図に示すように渦流量計の長さを短くして小型化を図るために本体２の長さを短くすると、必然的に渦検出体４と弁機構１２の距離が縮まってくる。
【００１８】
その結果、渦検出体４の後段に設けた弁機構１２の影響を受けて渦発生体４と弁機構１２の間（矢印イで示す部分）に渦が発生する。この渦は渦発生体３で発生させた渦に対してノイズとなって悪影響を生じさせ、正確な流量測定が困難となる。
【００１９】
従って図３に示すように、本発明では渦発生体３で発生した渦が弁機構１２によって影響を受けないように弁機構１２を流路５内に突出して配置された渦検出体４に対して逆方向から入出するように取り付ける。このような構成によれば、渦検出体４と弁機構１２が流れに対して重なる部分が少なくなるので渦発生体３で発生した渦に及ぼす悪影響を少なくすることができる。
【００２０】
図４は流量調節弁としてボール弁１２ａを用いた場合を示している。なお、弁機構１２ａ以外の部分は図１と同様なのでここでは省略している。この場合、ボール弁の弁機構の取り付け方によるボールの回転方向が渦に対して悪影響を与える。
【００２１】
図４ではボールの孔１７は渦検出体４の長手方向に対して直角方向に開閉するように取付けられている。このように渦検出体４の長手方向に対してボールの孔１７が直角（矢印Ａで示す）方向に開閉すると弁機構１２ａの孔１７の端部１７ａと渦発生体４の間（矢印ロで示す部分）で渦が発生し、渦検出体３により発生した渦に対してノイズとなって悪影響を与える。なお、点線Ｂは全開の状態であり、矢印Ｃの方向に弁が回転し流路を狭くしている状態を示している。
【００２２】
図５はボール弁を用いた場合に発生させた渦に悪影響を与えないように取付け位置を工夫したものである。この場合、弁機構１２ａは図４に示す取付け位置とは本体２の円周方向に９０度回転させて取付けている。
【００２３】
即ち、弁機構１２ａの孔１７は渦検出体４の長手方向に対して上下方向に首を振るような動きとなる。このような取付けとした場合、弁機構１２ａは渦検出体４に対して流れを妨げないので、ノイズとなる渦の発生を少なくすることができ、正確な測定が可能となる。
【００２４】
なお、以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【図面の簡単な説明】
【００２５】
【図１】本発明を適用した渦流量計の要部断面構成図である。
【図２】本発明に用いるゲート弁の取付け位置の説明図である。
【図３】本発明に用いるゲート弁の取付け位置の説明図である。
【図４】本発明に用いるボール弁の取付け位置の説明図である。
【図５】本発明に用いるボール弁の取付け位置の説明図である。
【図６】従来の渦流量計の要部断面構成図である。
【符号の説明】
【００２６】
１      渦流量計
２      本体
３      渦発生体
４      渦検出体
５      流路
６      渦流量計回路
７      リード線
８      制御部
９      出力部
１０    流量調節弁
１１    モータ
１２    弁機構
１３    モータ位置情報
１４    溝
１５    シール部材
１７    孔
【図１】
2008197040.tif 000003
【図２】
2008197040.tif 000004
【図３】
2008197040.tif 000005
【図４】
2008197040.tif 000006
【図５】
2008197040.tif 000007
【図６】
2008197040.tif 000008